(57)【要約】      （修正有）【課題】安価に設置可能で森林の保全にも貢献できる木造小屋を提供する。【解決手段】木造小屋１の骨格を柱１０ａ〜１０ｄと横木２０ａ〜２０ｆの二部材で構成して、一方の部材の側面に他方の部材の端面を接触させて、一方の部材の側面から他方の部材の端面に向けてネジ釘３０を打ち込んで部材同士を締結する。この構造によって、様々な木材を所定の長さに切断するだけで木造小屋１の部材として使用できるようになる。したがって間伐などで発生した比較的直径の小さい木材を有効に活用でき、森林の保全に貢献するほか、木材を規定の寸法に切断するだけでそのまま使用でき、製材などの費用も抑制できる。【選択図】図１
0003152766.tif 000002
【実用新案登録請求の範囲】
【請求項１】
垂直に敷設される柱（１０）と水平に敷設される横木（２０）を格子状に組み上げた骨格構造で、
柱（１０）と横木（２０）との二部材が接触する締結部は、一方の部材（１０または２０）の側面に他方の部材（２０または１０）の端面が接触しており、一方の部材（１０または２０）の側面から他方の部材（２０または１０）の端面に向けてネジ釘（３０）が打ち込まれていることを特徴とする木造小屋。
【考案の詳細な説明】
【技術分野】
【０００１】
本考案は、物置などとして使用される木造小屋に関する。
【背景技術】
【０００２】
冬用タイヤや脚立などは、大形でしかも汚れが付着していることも多いため、住居とは別の物置に保管されることがある。このような物置は、密閉式の金属製が広く普及しており、防犯面や耐候性などに優れているが、通風性を確保したい場合や、中を常時視認したい場合には不都合な面もある。また花卉類を個人的に栽培する際、鳥や昆虫による食害防止や成長促進のため、ガラスや透明シートで覆われた温室を設置することがある。
【０００３】
そのほか畑作地帯では、農機具や肥料などを保管するため、畑の中に一坪にも満たない規模の小屋が建てられていることがある。この小屋は、雨露をしのぐため天井を備えており、背面と側面もトタンなどで覆われているが、正面は作業性を確保するため全面的に解放されている。また畑の中を通過する道路沿いには、このような小屋を利用した無人の農産物販売所が設置されていることもある。これらの小屋は、所定の機能を確保できればよく、外観に配慮する必要もほとんどなく、老朽化が進んでもそのまま使用されることも多いが、外来者の目に触れやすい場所では、美感に対する苦言が呈されることがあり、また強風で破壊され、周囲に危害を加える恐れもある。
【０００４】
なお本考案に関連する先行技術の例としては、次の特許文献が挙げられる。特許文献１は、格子状断面の主枠材を直立させて、この主枠材で木材を拘束する技術であり、木材に対する加工を極力減らしながら確実に木材を積層できることを特徴としている。また特許文献２は、丸太を積み上げた構造の小屋において、丸太の上面と下面に凹溝を加工して、この中に帯状の雇実を嵌め合わせていることを特徴としており、上下に並ぶ丸太が一体化することで耐力壁として機能している。
【先行技術文献】
【特許文献】
【０００５】
【特許文献１】特開平５−１５６７２７号公報
【特許文献２】実用登録１９７４２７７号公報
【考案の概要】
【考案が解決しようとする課題】
【０００６】
近年は、地球温暖化などの環境問題に対する関心が高まっており、その一環として、国内の森林の保全についても重要性が認識されるようになり、国や地方自治体などで様々な活動が進められている。国内の森林は、かつて杉などが大規模に植林されたことから人工林の割合が高く、これらを適正に管理するには、間伐などの保全活動が必要不可欠である。しかし間伐によって得られた木材は、枝や若木などの直径の小さい物が多く用途が限定されるほか、伐採による費用負担の問題もあるため、十分な需要先を確保できず、関係者の間で対策が検討されている。
【０００７】
また前記のように畑の中に設置される小屋は、部材の腐食が進むまでそのまま使用されることも多いが、美感の改善や強風などを考慮すると、ある程度の年数で建て替えることが好ましい。しかし現実には、費用の面で先送りされることが多い。そこで低価格で小屋を提供できるならば、建て替えが促進され、しかも小屋の材料として間伐材を使用できるならば、森林の保全にも貢献できる。また住宅などに設置される物置についても、従来の金属製ではなく、木製とするならば、日常の生活空間に自然な雰囲気を取り入れることができ、住環境の向上が期待できる。
【０００８】
本考案はこうした実情を基に開発されたもので、安価に設置可能で森林の保全にも貢献できる木造小屋の提供を目的としている。
【課題を解決するための手段】
【０００９】
前記の課題を解決するための請求項１記載の考案は、垂直に敷設される柱と水平に敷設される横木を格子状に組み上げた骨格構造で、柱と横木との二部材が接触する締結部は、一方の部材の側面に他方の部材の端面が接触しており、一方の部材の側面から他方の部材の端面に向けてネジ釘が打ち込まれていることを特徴とする木造小屋である。
【００１０】
本考案は、垂直方向に延びる柱と、水平方向に延びる横木と、を格子状に組み上げて骨格を構築した小屋であり、柱と横木のいずれも木材を使用しているが、いずれの部材とも断面形状は自在であり、原木を切り出しただけの丸材のほか、矩形断面に加工された角材も使用できる。丸材を使用する場合、表皮を削って直径を揃えても良いが、表皮も残した無垢の状態でも問題はなく、さらに枝の付け根がそのまま残っていても構わない。ただし部材の長さは、設計図に基づいて正しく管理する必要がある。
【００１１】
柱と横木の二部材の締結部は、柱の側面に横木の端面を接触させる場合と、横木の側面に柱の端面に接触させる場合があり、いずれの場合も締結部は、棒状に延びる部材の側面に他の部材の端面が接触するＴ字状の外観となる。ただし、部材の端部付近で接触する場合にはＬ字状の外観となる。そして二部材を一体化するネジ釘は、一方の部材の側面から他方の部材の端面に向けて打ち込まれており、他方の部材の端面を一方の部材の側面に引き寄せて、双方を面接触させて締結部の剛性を確保している。したがって締結部には、木造軸組工法のような各種仕口を加工する必要はない。なおＴ字状とは、Ｔ字を横倒しにした形態や上下反転させた形態を含んでおり、Ｌ字状についても同様である。
【００１２】
ネジ釘は、一箇所の締結部について一個のみ使用する場合でも、部材同士の摩擦によってある程度の強度は確保できるが、引き抜き方向やせん断方向に大きな荷重が作用する箇所では、必要に応じて複数を打ち込んでも構わない。なお本考案では、木材の経年変形で緩みが生じることを防止するため、単純な平頭釘などは使用しない。また当然ながらネジ釘は、部材の大きさに応じた長さと直径を有することが要求され、本考案では、ネジ部分の外径が最低でも５ｍｍ以上の物を使用する。
【００１３】
本考案は、一方の部材の側面から他方の部材の端面に向けてネジ釘を打ち込んでいる。したがって柱の両側に横木が接触する十字状の締結部は、ネジ釘の打ち込みが不可能で、実現できない。このような要因があるため、十字状の締結部は設計段階で排除して、必ずＴ字状あるいはＬ字状となるよう配慮を要する。なお小屋の角部では、三方向の部材が一箇所に集中することがあるが、この場合は、ネジ釘の打ち込み方向が異なるため、ネジ釘同士の干渉を防止すれば、問題なく締結部を構成できる。
【００１４】
本考案による小屋は簡素な構造だが、所定の強度を確保するため、木造軸組工法に比べて柱や横木の間隔を狭くする必要がある。その結果、必然的に締結部が多くなるが、個々の締結部に作用する荷重は軽減されるため、小屋全体の強度は十分に確保され、別途に筋交などの補強部材を取り付ける必要はない。またネジ釘を打ち込む際は、部材の割れを防止するため、事前に下穴を加工するが、その加工位置に高い精度は不要で、現地でも問題なく対応できる。
【００１５】
このように、柱と横木の二部材をネジ釘で締結して小屋の骨格を組み上げていくが、小屋として機能するには、屋根や壁や床などを必要に応じて取り付ける必要がある。これらは、木板や樹脂フィルムや波形プレートなど、様々な汎用品を一般的な方法で柱や横木に固定すればよい。なお屋根部分は、排水性や防水性を確保するため、一般的な施工方法を組み合わせることも可能で、小屋上部の横木の上面に金属製のタイトフレームを取り付けて、折板屋根を敷設することもできる。
【考案の効果】
【００１６】
請求項１記載の考案のように、骨格が柱と横木の二部材で構成され、一方の部材の側面に他方の部材の端面を接触させて、一方の部材の側面から他方の部材の端面に向けてネジ釘を打ち込んで部材同士を締結した木造小屋は、様々な木材を所定の長さに切断するだけで柱や横木として使用できる。したがって間伐などで発生した比較的直径の小さい木材を有効に活用でき、森林の保全に貢献するほか、木材を規定の寸法に切断するだけでそのまま使用でき、製材などの費用も抑制できる。
【００１７】
また本考案は、低価格で木造小屋を提供できるため、畑などで使用されている小屋の建て替えが促進され、老朽化した小屋が減少することで周辺の美感が改善するほか、強風などによる事故を未然に防ぐことができる。しかも本考案は、原木に近い木材をそのまま使用できるため、ログハウスのような自然な雰囲気を存分に残すことが可能で、物置として住宅の庭に設置した場合、日常の生活空間に自然な雰囲気を取り入れることができ、住環境の向上が実現する。
【００１８】
さらに本考案は、締結部にネジ釘を打ち込んだだけの簡素な構造であるため、建築作業が容易で、短期間に施工を終えることができる。また強度が必要とされる場合も、柱や横木の配置間隔を狭くするだけで柔軟に対応でき、大きさや形状や強度など、様々な面で自由度が極めて高い。しかも廃棄の際は、ネジ釘を抜き取ることで木材だけを分離でき、素材ごとのリサイクルも容易である。
【図面の簡単な説明】
【００１９】
【図１】本考案による木造小屋の構成例を示す斜視図である。
【図２】物置として使用される木造小屋の構成例を示す斜視図である。
【図３（Ａ）（Ｂ）（Ｃ）】柱と横木の二部材の締結構造を示しており、（Ａ）は締結前の状態の斜視図で、（Ｂ）はＴ字状に締結した際の断面図で、（Ｃ）はＬ字状に締結した際の断面図である。図１に示すカーポートを設置する際の手順を示す斜視図であり、（Ａ）は初期の段階で、（Ｂ）は完成直前の段階である。
【図４】柱を地面に据え付ける際の構成例を示す斜視図である。
【考案を実施するための形態】
【００２０】
図１は、本考案による木造小屋１の構成例を示しており、ほぼ直径の揃った丸棒を用いて骨格が構成されている。骨格は、垂直に延びる柱１０と、柱１０の間を結ぶ横木２０と、を用いており、大半の箇所で柱１０の側面に横木２０の端面が接触して、Ｔ字状またはＬ字状の締結部が形成され、柱１０の側面から横木２０の端面に向けてネジ釘３０を打ち込んで、双方を一体化している。なお柱１０と横木２０については、使用箇所を識別するため、適宜末尾にａ、ｂ、ｃといった記号を付けている。
【００２１】
木造小屋１の正面中央は出入口４１となっており、二本の柱１０ｂの間は、上部の横木２０ｅの下が全面的に開放されている。また木造小屋１の背面には出入口４１を設けていないが、柱１０と横木２０が十字状に交わることを避けるため、背面中央の二本の柱１０ｃの間を結ぶ横木２０ｄは、両脇の横木２０ｃよりも高い位置に固定されており、柱１０ｃの側面から横木２０ｃ、２０ｄに向けて、支障なくネジ釘３０を打ち込むことができる。そのほか、屋根の頂部に配置され従来の棟木に相当する横木２０ｆは、二本の柱１０ｄで両端が支持されている。この柱１０ｄの下端面は、横木２０ａの側面に接触しており、Ｔ字を上下反転させた締結部となっている。したがって横木２０ａの下面からネジ釘３０を打ち込んでいる。
【００２２】
木造小屋１の屋根部分は、横木２０ｆが頂点となっており、そこから両側の横木２０ｅに向けてタルキ４５が斜めに配置されている。屋根部分は、耐水性などの面である程度の精度が必要であり、タルキ４５には密着性を確保しやすい角材を使用しており、この上に天板４２を取り付けて屋根全面を塞ぎ、さらにトタン（亜鉛めっき鋼板）などを敷設して防水性を確保することになる。また木造小屋１の側面は、単純に側板４３を打ち付ければよいが、柱１０や横木２０に凹凸や湾曲がある場合には、柔軟性のある樹脂プレートなどを使用する。
【００２３】
図２は、物置として使用される木造小屋１の構成例を示している。この木造小屋１は、物置として使用されることを想定しているため、正面の中間部分には柱１０を配置しておらず、全面が解放されている。また正面下方に配置された横木２０ｂと、その奥の横木２０ｃを結ぶようにして、床板４４が敷設されている。さらに木造小屋１の背面中央には、二本の柱１０ｃを配置しており、これに締結する横木２０ｃと横木２０ｄは、高さを変えて配置しており、支障なくネジ釘３０が打ち込めるようになっている。
【００２４】
また屋根については、耐水性や耐久性の向上や施工性を考慮して、汎用の折板屋根４７を使用している。そのため上部の横木２０ｅにタイトフレーム４６を取り付けており、これを介して折板屋根４７を敷設している。なおタイトフレーム４６を支障なく固定できるよう、上部の二本の横木２０ｅは、他の部材に比べて直径が大きく、しかも製材によって所定の断面径に仕上げられている。さらに二本の横木２０ｅは、排水性を考慮して正面側と背面側で高さを変えており、正面側に雨水が落下することはない。
【００２５】
図３は、柱１０と横木２０の二部材の締結構造を示しており、図３（Ａ）は締結前の状態で、図３（Ｂ）はＴ字状に締結した際の断面で、図３（Ｃ）はＬ字状に締結した際の断面である。本考案による部材同士の締結部は、図３（Ａ）のように、必ず一方の部材の側面に他方の部材の端面を接触させた上、一方の部材の側面から他方の部材の端面に向けてネジ釘を打ち込んでいる構造であり、他方の部材の端面を一方の部材の側面に密着させることで締結部の剛性を確保している。なお本図では、柱１０の側面に横木２０の端面を接触させているが、当然ながら部材の姿勢は自在であり、この状態を９０度回転させて、柱１０の上面または下面に横木２０の側面が接触する場合もある。また本図では、柱１０と横木２０のいずれも丸断面を想定しているが、角材も同様に締結可能である。
【００２６】
二部材の締結に際しては、経年による緩みを防止するため、平頭釘のように単純な円断面の釘は使用できず、必ず本図のようなネジ釘３０を用いる。当然ながらネジ釘３０は、締結部に作用する引き抜き荷重に耐える必要があるため、所定の直径と長さを有する物を使用する。そのため打ち込みの際は、あらかじめ部材に下穴３２を加工しておくことが好ましい。
【００２７】
二部材の締結を終えると、図３（Ｂ）のように、柱１０の側面に横木２０の端面が密着しており、さらにネジ釘３０が二部材の境界を貫いており、Ｔ字を横倒しにした形状の締結部が構成される。なお柱１０の端部付近に横木２０を締結する場合には、図３（Ｃ）のようなＬ字状の締結部となるが、ネジ釘３０の配置などの基本的な構成は、図３（Ｂ）となんら変わりがない。
【００２８】
図４は、柱１０を地面に据え付ける際の構成例を示している。柱１０の底部は、雨水などによる腐食を防止するため、地面との接触を避けるべきである。したがって柱１０の底部には、本図のようなベース金物５１を介在させることが好ましい。ベース金物５１は、円錐状の接地体５２と、その中央から突出するジャッキボルト５３が一体化した構造で、接地体５２の底面が地面と接触する。またベース金物５１と対になるベースプレート５７は、柱１０の断面径と同等な円盤状で、その中央にナット５８が一体化されており、固定釘６０によって柱１０の底面に取り付けられる。この固定釘６０を挿通するため、ベースプレート５７には固定孔５９が形成されている。
【００２９】
柱１０と一体化したプベースレート５７のナット５８にジャッキボルト５３の先部を螺合させると、柱１０は、ベース金物５１によって支持され、ジャッキボルト５３のねじ込み長さを調整することで、全体の水平度が確保される。なお接地体５２の外縁から突出している耳板５４には、アンカー孔５５が形成されており、この中にアンカーボルトや打ち込み式のアンカーなどを挿通すると、全体が地面と一体化して、横風などの外力に対抗できる。
【符号の説明】
【００３０】
１  木造小屋
１０  柱（末尾の記号ａは角部の柱、ｂは出入口の両側、ｃは背面の中央、ｄは頂部の直下）
２０  横木（末尾の記号ａは両側面の横木、ｂは正面、ｃは背面の両端、ｄは背面の中央、ｅは正面と背面の上部の横木、ｆは棟木に相当する頂上）
３０  ネジ釘
３２  下穴
４１  出入口
４２  天板
４３  側板
４４  床板
４５  タルキ
４６  タイトフレーム
４７  折板屋根
５１  ベース金物
５２  接地体
５３  ジャッキボルト
５４  耳板
５５  アンカー孔
５７  ベースプレート
５８  ナット
５９  固定孔
６０  固定釘
【図１】
0003152766.tif 000003
【図２】
0003152766.tif 000004
【図３（Ａ）（Ｂ）（Ｃ）】
0003152766.tif 000005
【図４】
0003152766.tif 000006